(57)【要約】【課題】運転状態に関するデータの収集に伴う通信費用や回線占有時間の増大を抑制しながら、より詳細なデータを確認することができ、異常判定における精度向上、診断範囲拡大を図ることができるガス燃焼機器の遠隔監視システムを提供すること。【解決手段】ガスエンジン３の遠隔監視システム１は、遠隔監視端末４と遠隔監視センタ５とを有している。遠隔監視端末４は、運転データＤ１を時間Ｔ１毎に収集して一時メモリ４１に順次記憶し、運転データＤ１を時間Ｔ２毎に統計処理することによって統計処理データＤ２を算出して通常メモリ４２に順次記憶し、統計処理された運転データＤ１を消去する。遠隔監視センタ５は、統計処理データＤ２を時間Ｔ３毎に遠隔監視端末４から公衆回線１０を介して収集する。統計処理データＤ２は、運転データＤ１に基づく少なくとも平均値と分散値とを含む基本統計量を算出したものである。【選択図】図１
2007329664.tif 000002
【特許請求の範囲】
【請求項１】
ガス燃焼機器の運転状態を遠隔から監視し、異常診断を行うガス燃焼機器の遠隔監視システムにおいて、
上記ガス燃焼機器の近傍に設置された遠隔監視端末と、
該遠隔監視端末との間に公衆回線を介して接続された遠隔監視センタとを有しており、
上記遠隔監視端末は、上記ガス燃焼機器における各種監視対象項目の運転データを予め定めた時間Ｔ１毎に収集する運転データ収集手段と、
収集された上記運転データを順次記憶する一時記憶領域と、
該一時記憶領域に蓄積された上記運転データを予め定めた時間Ｔ２（＞Ｔ１）毎に統計処理し、統計処理データを算出する統計処理手段と、
算出された上記統計処理データを順次記憶する通常記憶領域と、
統計処理された上記運転データを消去するデータ消去手段とを有しており、
上記遠隔監視センタは、上記遠隔監視端末の上記通常記憶領域に蓄積された上記統計処理データを予め定めた時間Ｔ３（＞Ｔ２）毎に上記公衆回線を介して収集する統計処理データ収集手段を有しており、
上記統計処理データは、上記監視対象項目の上記運転データに基づく基本統計量を算出したものであり、該基本統計量の算出項目としては、少なくとも平均値と分散値又は標準偏差とを含むことを特徴とするガス燃焼機器の遠隔監視システム。
【請求項２】
請求項１において、上記統計処理データにおける上記基本統計量の算出項目としては、平均値と分散値又は標準偏差とに加えて、歪度、尖度、変動率、最大値、又は最小値のうちの一種以上を含むことを特徴とするガス燃焼機器の遠隔監視システム。
【請求項３】
請求項１又は２において、上記遠隔監視センタは、上記統計処理データ収集手段によって上記遠隔監視端末から収集した上記統計処理データに基づいて、上記ガス燃焼機器の運転状態が正常か否かを判断する異常診断手段を有していることを特徴とするガス燃焼機器の遠隔監視システム。
【請求項４】
請求項３において、上記異常診断手段は、上記統計処理データの少なくとも１つの上記算出項目が予め定められた基準範囲を逸脱したか否かを判断し、逸脱した場合に上記ガス燃焼機器の運転状態が異常であると判定するものであり、該判定に用いる上記算出項目としては、少なくとも分散値又は標準偏差を含むことを特徴とするガス燃焼機器の遠隔監視システム。
【請求項５】
請求項３又は４において、上記異常診断手段は、上記統計処理データの２種類の上記算出項目の相関関係が、その相関関係図において予め定められた基準範囲を逸脱したか否かを判断し、逸脱した場合に上記ガス燃焼機器の運転状態が異常であると判定するものであり、該判定に用いる上記２種類の算出項目の少なくとも一方は分散値、標準偏差、又は変動率のいずれかであることを特徴とするガス燃焼機器の遠隔監視システム。
【請求項６】
請求項３〜５のいずれか１項において、上記遠隔監視端末は、上記統計処理手段によって上記統計処理データを算出した時点で、該統計処理データに基づいて、上記ガス燃焼機器の運転状態が正常か否かを判断する予備異常診断手段を有していることを特徴とするガス燃焼機器の遠隔監視システム。
【請求項７】
請求項６において、上記予備異常診断手段は、上記統計処理データの少なくとも１つの上記算出項目が予め定められた基準範囲を逸脱したか否かを判断し、逸脱した場合に上記ガス燃焼機器の運転状態が異常であると判定するものであり、該判定に用いる上記算出項目としては、少なくとも分散値又は標準偏差を含むことを特徴とするガス燃焼機器の遠隔監視システム。
【請求項８】
請求項１〜７のいずれか１項において、上記ガス燃焼機器は、コージェネレーションシステムの一部を構成していることを特徴とするガス燃焼機器の遠隔監視システム。
【発明の詳細な説明】
【技術分野】
【０００１】
本発明は、例えばコージェネレーションシステム等に用いられるガス燃焼機器の運転状態を遠隔から監視し、異常診断を行うガス燃焼機器の遠隔監視システムに関する。
【背景技術】
【０００２】
例えばコージェネレーションシステム等に用いられるガス燃焼機器は、エネルギー供給設備という性質上、トラブル発生時にはその影響が非常に大きい。そのため、ガス燃焼機器を遠隔監視しながら、予防保全のために必要な様々な運転データを収集し、正常な運転の維持を図っている。
【０００３】
しかしながら、運転データの収集において、従量料金制の通信インフラや回線スピードの遅い通信インフラを使用した場合、コスト面や１サイト当たりの回線占有時間が限られる等の理由から、運転データを収集する間隔や計測点数に制限を加えて、データ量を抑制しなければならない。そのため、一般的に、一定時間毎に運転データの瞬時値を記憶して収集したり、特許文献１に示されるように、記憶した一定期間内の運転データのうちの代表値を選択して収集したりしている。
【０００４】
ところが、運転データの瞬時値や代表値のみでは、異常発生における初期の微妙な変化について異常を判定することは非常に困難である。かといって、異常判定における精度向上、診断範囲拡大を図るために必要な詳細な運転データを大量に記憶して収集することは、現状のままでは厳しいと言わざるを得ない。
【０００５】
例えば、特許文献２では、記録した運転データを予め演算処理し、その演算処理したデータのみを収集する方法が示されている。しかしながら、上記文献では、平均値や累積の演算処理を行うことのみが記載されており、このような平均値や累積のみのデータでは、より精度の高い異常診断を行うことは難しい。
【０００６】
このようなことから、運転状態に関するデータの収集に伴う回線占有時間や通信費用の増大を抑制しながら、より詳細なデータを確認することができ、異常判定における精度向上、診断範囲拡大を図ることができるガス燃焼機器の遠隔監視システムが望まれている。
【０００７】
【特許文献１】特開２００５−３０９７２４号公報
【特許文献２】特開平６−２６１３７８号公報
【発明の開示】
【発明が解決しようとする課題】
【０００８】
本発明は、かかる従来の問題点に鑑みてなされたもので、運転状態に関するデータの収集に伴う回線占有時間や通信費用の増大を抑制しながら、より詳細なデータを確認することができ、異常判定における精度向上、診断範囲拡大を図ることができるガス燃焼機器の遠隔監視システムを提供しようとするものである。
【課題を解決するための手段】
【０００９】
本発明は、ガス燃焼機器の運転状態を遠隔から監視し、異常診断を行うガス燃焼機器の遠隔監視システムにおいて、
上記ガス燃焼機器の近傍に設置された遠隔監視端末と、
該遠隔監視端末との間に公衆回線を介して接続された遠隔監視センタとを有しており、
上記遠隔監視端末は、上記ガス燃焼機器における各種監視対象項目の運転データを予め定めた時間Ｔ１毎に収集する運転データ収集手段と、
収集された上記運転データを順次記憶する一時記憶領域と、
該一時記憶領域に蓄積された上記運転データを予め定めた時間Ｔ２（＞Ｔ１）毎に統計処理し、統計処理データを算出する統計処理手段と、
算出された上記統計処理データを順次記憶する通常記憶領域と、
統計処理された上記運転データを消去するデータ消去手段とを有しており、
上記遠隔監視センタは、上記遠隔監視端末の上記通常記憶領域に蓄積された上記統計処理データを予め定めた時間Ｔ３（＞Ｔ２）毎に上記公衆回線を介して収集する統計処理データ収集手段を有しており、
上記統計処理データは、上記監視対象項目の上記運転データに基づく基本統計量を算出したものであり、該基本統計量の算出項目としては、少なくとも平均値と分散値又は標準偏差とを含むことを特徴とするガス燃焼機器の遠隔監視システムにある（請求項１）。
【００１０】
本発明のガス燃焼機器の遠隔監視システムは、上記ガス燃焼機器が設置されている現場側の遠隔監視端末と、上記ガス燃焼機器を遠隔から監視する管理側の遠隔監視センタとを有している。そして、現場側にある上記遠隔監視端末は、上記のごとく、一時記憶領域に蓄積された各種監視対象項目の運転データを一定時間（時間Ｔ２）毎に統計処理し、統計処理データを算出する統計処理手段を有している。
【００１１】
すなわち、上記遠隔監視システムは、上記遠隔監視端末が上記統計処理手段を備えていることにより、上記遠隔監視端末に収集された上記運転データのすべてを管理側の上記遠隔監視センタに送るのではなく、上記運転データを予め統計処理しておき、この統計処理された有用な上記統計処理データのみを送ることができる。そのため、上記遠隔監視センタに送るデータ量を抑制することができると共に、上記遠隔監視端末と上記遠隔監視センタとの間の回線占有時間や回線使用コストを低減することができる。
【００１２】
また、上記遠隔監視端末は、統計処理された上記運転データを消去するデータ消去手段を有している。すなわち、上記遠隔監視端末は、絶えず繰り返し上記運転データの収集、記憶、消去を行っている。そのため、上記運転データを記憶する上記一時記憶領域の容量を節約しながら使用することができる。また、上記の作業を適切に順次行うことにより、上記運転データの収集間隔、すなわち時間Ｔ１を短縮することもできる。
【００１３】
また、本発明のガス燃焼機器の遠隔監視システムにおいて、さらに注目すべき点は、上記統計処理データは、上記監視対象項目の上記運転データに基づく基本統計量を算出したものであり、該基本統計量の算出項目としては、少なくとも平均値と分散値又は標準偏差とを含むということにある。すなわち、一般的に収集される平均値に加えて、一定周期内のデータのばらつきや分布等、異常兆候の検出により役立つ分散値又は標準偏差を算出して収集することにより、上記ガス燃焼機器の運転状態の傾向をより正確、かつ詳細に把握することができる。それ故、これらのデータを基にして、上記ガス燃焼機器の異常判定における精度向上、診断範囲拡大を図ることができると共に、上記ガス燃焼機器の予防保全、正常な運転の維持をより一層実現することができる。
【００１４】
このように、本発明によれば、運転状態に関するデータの収集に伴う回線占有時間や通信費用の増大を抑制しながら、より詳細なデータを確認することができ、異常判定における精度向上、診断範囲拡大を図ることができるガス燃焼機器の遠隔監視システムを提供することができる。
【発明を実施するための最良の形態】
【００１５】
本発明においては、上記ガス燃焼機器としては、都市ガス、天然ガス等のガス燃料を用いて運転を行うガスエンジンやガスタービン等を用いることができる。
また、上記遠隔監視端末としては、入出力点、中央演算装置、記憶装置等を備えた、いわゆるシーケンサ、ＰＬＣ（Ｐｒｏｇｒａｍａｂｌｅ  Ｌｏｇｉｃ  Ｃｏｎｔｒｏｌｅｒ）、コンピュータ等で構成することができる。
また、上記遠隔監視センタとしては、入出力点、中央演算装置、記憶装置等を備えた、いわゆるコンピュータ等で構成することができる。
【００１６】
また、上記遠隔監視端末と上記遠隔監視センタとの間は、上述したごとく、公衆回線を介して接続されるが、その公衆回線の種類に応じて、公知の適切な通信機器が上記遠隔監視端末及び上記遠隔監視センタに接続される。上記公衆回線としては、インターネット、ローカルエリアネットワーク、専用回線、電話回線等を用いることができる。
【００１７】
また、上記運転データを収集する間隔である時間Ｔ１は、上記運転データを計測するセンサの応答速度や上記遠隔監視端末の処理速度、上記ガス燃焼機器と上記遠隔監視端末との間の通信速度等の制限によって規定される。時間Ｔ１は、制限内の最速の間隔であることが好ましい。この場合には、より多くの上記運転データを収集することができる。
【００１８】
また、上記一時記憶領域に蓄積された上記運転データを統計処理する間隔である時間Ｔ２は、上記遠隔監視端末（上記一時記憶領域）に蓄積することができるデータ量等の制限によって規定される。
また、上記通常記憶領域に蓄積された上記統計処理データを収集する間隔である時間Ｔ３は、上記遠隔監視端末（上記通常記憶領域）に蓄積することができるデータ量、上記遠隔監視端末と上記遠隔監視システムとの間の通信コスト等の制限によって規定される。
【００１９】
また、上記統計処理データにおける上記基本統計量の算出項目としては、平均値と分散値又は標準偏差とに加えて、歪度、尖度、変動率、最大値、又は最小値のうちの一種以上を含むことが好ましい（請求項２）。
この場合には、上記ガス燃焼機器の運転状態のさらに詳細な傾向を把握することができる。そして、これらのデータを基にして、上記ガス燃焼機器の異常判定における精度向上、診断範囲拡大をより一層図ることができる。
【００２０】
また、上記遠隔監視センタは、上記統計処理データ収集手段によって上記遠隔監視端末から収集した上記統計処理データに基づいて、上記ガス燃焼機器の運転状態が正常か否かを判断する異常診断手段を有していることが好ましい（請求項３）。
この場合には、統計処理された有用な上記統計処理データを収集した上で、上記ガス燃焼機器の運転状態を診断するため、上記ガス燃焼機器の異常をより正確に判定することができる。
【００２１】
また、上記異常診断手段は、上記統計処理データの少なくとも１つの上記算出項目が予め定められた基準範囲を逸脱したか否かを判断し、逸脱した場合に上記ガス燃焼機器の運転状態が異常であると判定するものであり、該判定に用いる上記算出項目としては、少なくとも分散値又は標準偏差を含むことが好ましい（請求項４）。
この場合には、上記統計処理データにおける上記算出項目によって、上記ガス燃焼機器の運転状態の異常を容易、かつ適切に判定することができる。また、判定に用いる上記算出項目として少なくとも分散値又は標準偏差を含んでいることから、上記ガス燃焼機器の異常をより正確、かつ詳細に判定することができる。
なお、上記基準範囲とは、上記ガス燃焼機器において正常に運転が行われている際における上記運転データの変動範囲として設定することができる。
【００２２】
また、上記異常診断手段は、上記統計処理データの２種類の上記算出項目の相関関係が、その相関関係図において予め定められた基準範囲を逸脱したか否かを判断し、逸脱した場合に上記ガス燃焼機器の運転状態が異常であると判定するものであり、該判定に用いる上記２種類の算出項目の少なくとも一方は分散値、標準偏差、又は変動率のいずれかであることが好ましい（請求項５）。
この場合には、上記統計処理データにおける上記２種類の算出項目の相関関係によって、上記ガス燃焼機器の運転状態の異常を様々な角度から診断し、判定することができる。また、判定に用いる上記２種類の算出項目の少なくとも一方が分散値、標準偏差、又は変動率のいずれかであることから、上記ガス燃焼機器の異常をより正確、かつ詳細に判定することができる。
なお、変動率は、上記遠隔監視端末において上記統計処理データとして算出した値を用いることもできるし、該統計処理データとして算出した標準偏差を用いて計算した値を用いることもできる。
【００２３】
また、上記遠隔監視端末は、上記統計処理手段によって上記統計処理データを算出した時点で、該統計処理データに基づいて、上記ガス燃焼機器の運転状態が正常か否かを判断する予備異常診断手段を有していることが好ましい（請求項６）。
この場合には、上記遠隔監視端末において、上記統計処理データを算出した段階で上記ガス燃焼機器の運転状態を診断するため、上記ガス燃焼機器の異常発生を早期に知ることができる。
【００２４】
また、上記予備異常診断手段は、上記統計処理データの少なくとも１つの上記算出項目が予め定められた基準範囲を逸脱したか否かを判断し、逸脱した場合に上記ガス燃焼機器の運転状態が異常であると判定するものであり、該判定に用いる上記算出項目としては、少なくとも分散値又は標準偏差を含むことが好ましい（請求項７）。
この場合には、上記算出項目によって、上記ガス燃焼機器の運転状態の異常を容易、かつ適切に判定することができる。また、判定に用いる上記算出項目として少なくとも分散値又は標準偏差を含んでいることから、上記ガス燃焼機器の異常をより正確、かつ詳細に判定することができる。
【００２５】
また、上記ガス燃焼機器は、コージェネレーションシステムの一部を構成していることが好ましい（請求項８）。
この場合には、基本的にエネルギー供給設備として連続運転している上記コージェネレーションシステムの状態を、上記ガス燃焼機器の運転状態から正確、かつ詳細に把握することができるため、予防保全、正常な運転の維持をより一層図ることができる。これにより、上記コージェネレーションシステムの信頼性を向上させることができる。
なお、コージェネレーションシステムとは、例えば上記ガス燃焼機器の出力を利用して発電機における発電を行うと共に、上記ガス燃焼機器の運転による冷却水及び排気ガスの排熱を冷暖房機又は給湯器等に利用するシステムである。
【実施例】
【００２６】
本発明の実施例にかかるガス燃焼機器の遠隔監視システムにおいて、図を用いて説明する。
本例の遠隔監視システム１は、図１に示すごとく、コージェネレーションシステム２の一部を構成するガスエンジン３の運転状態を遠隔から監視し、異常判定を行うものである。そして、ガスエンジン３の予防保全、正常な運転の維持を図るものである。
コージェネレーションシステム２は、ガスエンジン３の出力により、発電機３９（図２）における発電を行うと共に、ガスエンジン３の運転による冷却水や排気ガスの排熱を冷暖房や給湯器等に利用するシステムである。
【００２７】
また、ガスエンジン３には、ガスエンジン３の各種監視対象項目の運転状態を示すデータ（以下、運転データＤ１という）を計測するための計測器３００が配設されている。計測器３００は、遠隔監視端末４と接続されており、計測した運転データＤ１を遠隔監視端末４に出力できるように構成されている。
また、遠隔監視端末４は、ガスエンジン３の近傍に設置され、公衆回線１０を介して遠隔監視センタ５と接続されている。
【００２８】
また、同図に示すごとく、遠隔監視端末４は、計測器３００において計測した運転データＤ１を一定時間Ｔ１毎に収集し、その収集された運転データＤ１を一時メモリ（一時記憶領域）４１に順次記憶するように構成されている。
なお、時間Ｔ１は、運転データＤ１を収集する間隔であり、計測器３００の応答速度や処理速度、計測器３００と遠隔監視端末４との間の通信速度等の制限内において予め定めることができる。本例では、Ｔ１を０．５秒とした。
【００２９】
また、遠隔監視端末４は、一時メモリ４１に記憶され、蓄積された運転データＤ１を一定時間Ｔ２（＞Ｔ１）毎に統計処理して統計処理データＤ２を算出し、算出された統計処理データＤ２を通常メモリ（通常記憶領域）４２に順次記憶すると共に、統計処理された運転データＤ１を消去するように構成されている。
なお、時間Ｔ２は、運転データＤ１を統計処理する間隔であり、通常メモリ４２に蓄積することができるデータ量等の制限内において予め定めることができる。本例では、Ｔ２を６０秒とした。
【００３０】
また、遠隔監視端末４は、運転データＤ１の統計処理を行うことによって、各種監視対象項目の基本統計量を統計処理データＤ２として算出可能に構成されている。
なお、基本統計量の算出項目としては、平均値、分散値、標準偏差、歪度、尖度、変動率、最大値、最小値等がある。本例では、平均値及び分散値を求めた。
【００３１】
また、同図に示すごとく、遠隔監視センタ５は、遠隔監視端末４の通常メモリ４２に記憶され、蓄積された統計処理データＤ２を一定時間Ｔ３（＞Ｔ２）毎に公衆回線１０を介して収集し、データベース５１に保存するように構成されている。また、遠隔監視センタ５は、保存した統計処理データＤ２に基づいて、ガスエンジン３の運転状態が正常か否かを判断する機能をソフトウェアによって実現した異常診断手段５２を有している。
なお、時間Ｔ３は、統計処理データＤ２を収集する間隔であり、遠隔監視端末４と遠隔監視センタ５との間の通信コスト等の制限内において予め定めることができる。本例では、Ｔ３を２４時間とした。
【００３２】
ここで、本例のガスエンジン３及びその周辺の構成について説明する。
本例のガスエンジン３は、図２に示すごとく、都市ガス、天然ガス等のガス燃料Ｇ１を用いて運転を行うものであり、ガス燃料Ｇ１と燃焼用空気Ｇ２との混合比（空燃比）をほとんど変化させずに運転を行う。
ガスエンジン３は、複数の気筒（図示略）を有しており、この複数の気筒における吸気口は、混合気Ｇ３を各気筒に供給するための吸気マニホールド３３に接続されている。
【００３３】
また、吸気系３０には、ガス燃料Ｇ１と燃焼用空気Ｇ２との混合を行うための混合器３２が配設されている。また、吸気系３０には、各気筒から排気される排気ガスのエネルギーを利用して動作する過給機３５が配設されている。また、混合器３２とガスエンジン３との間には、開閉弁（図示略）を備えたガバナ３４が配設されており、このガバナ３４は、開閉弁の開度（以下、ガバナ開度という）によって各気筒への混合気Ｇ３の流量を調整可能に構成されている。
【００３４】
また、ガバナ３４には、発電機３９の発電出力が目標とする値となるように、ガバナ開度を制御するためのガバナ制御装置３４１が配設されている。
また、ガス燃料Ｇ１を調整するためのガス燃料バルブ３１は、空燃比制御装置３６と接続されており、空燃比を制御可能に構成されている。また、吸気マニホールド３３及びガスエンジン３も空燃比制御装置３６と接続されている。
【００３５】
次に、遠隔監視システム１を用いて、ガスエンジン３の運転状態を遠隔から監視し、異常診断を行う方法について、図３、図４を用いて説明する。
ガスエンジン３の遠隔監視、異常診断は、ガスエンジン３の運転状態において行う。このとき、ガスエンジン３の各種監視対象項目の運転データＤ１は、計測器３００によって常時計測されている。なお、本例の監視対象項目は、発電機３９によって発電した発電出力、ガバナ３４における開閉弁の開度を示すガバナ開度、その他混合気圧力、一次冷却水圧力等である。
【００３６】
まず、ガスエンジン３が設置されている現場側の遠隔監視端末４における制御フロー（現場側ステップＳ４）について、図３を用いて説明する。
現場側では、ガスエンジン３の運転データＤ１の収集を開始し、時間のカウントを開始する（Ｓ４０１）。このカウントは、運転データＤ１を収集する間隔である時間Ｔ１の経過を計測する運転データ収集用カウントＣ１と、運転データＤ１を統計処理する間隔である時間Ｔ２の経過を計測する統計処理用カウントＣ２とがある。
【００３７】
次いで、遠隔監視端末４は、運転データ収集用カウントＣ１が時間Ｔ１（本例では０．５秒）になったか否かを判定し（Ｓ４０２）、運転データ収集用カウントＣ１が時間Ｔ１になるまで繰り返す。
次いで、運転データ収集用カウントＣ１が時間Ｔ１になったときには、遠隔監視端末４は、計測器３００において計測された各種監視対象項目の運転データＤ１を収集する（Ｓ４０３）。そして、遠隔監視端末４は、収集された運転データＤ１を一時メモリ４１に記憶する（Ｓ４０４）。
【００３８】
次いで、遠隔監視端末４は、統計処理用カウントＣ２が時間Ｔ２（本例では６０秒）になったか否かを判定し（Ｓ４０５）、統計処理用カウントＣ２が時間Ｔ２になるまで、上記Ｓ４０１〜Ｓ４０５を繰り返す。また、統計処理用カウントＣ２が時間Ｔ２でないとき（Ｓ４０５の判定がＮｏのとき）には、遠隔監視端末４は、運転データ収集用カウントＣ１をゼロに初期化する（Ｓ４０６）。
【００３９】
次いで、統計処理用カウントＣ２が時間Ｔ２になったときには、遠隔監視端末４は、一時メモリ４１に記憶され、蓄積された運転データＤ１を統計処理し、統計処理データＤ２を算出する（Ｓ４０７）。そして、遠隔監視端末４は、算出された統計処理データＤ２を通常メモリ４２に記憶し（Ｓ４０８）、統計処理された運転データＤ１を消去する（Ｓ４０９）。
その後、統計処理用カウントＣ２をゼロに初期化すると共に（Ｓ４１０）、運転データ収集用カウントＣ１をゼロに初期化する（Ｓ４０６）。そして、遠隔監視端末４は、上記Ｓ４０１以降を繰り返し行う。
【００４０】
ここで、算出する統計処理データＤ２について説明する。
統計処理データＤ２は、各種監視対象項目の基本統計量であり、本例の算出項目は、平均値及び分散値である。なお、平均値Ｘ及び分散値Ｖは、以下の計算式（数式１、２）によって求めることができる。ここで、式中のｎは、時間Ｔ２内における計測データ数を示し、ｘは、時間Ｔ２内における各計測時の監視対象項目のデータの値を示している。
また、基本統計量としては、上記の平均値Ｘ及び分散値Ｖ以外にも、標準偏差Ｓ、歪度Ｋ、尖度Ｕ、変動率Ｃ、最大値、最小値等を求めることもできる。なお、各算出項目は、以下の計算式（数式３〜６）によって求めることができる。ただし、最大値及び最小値は省略した。
【００４１】
【数１】
2007329664.tif 000003
【００４２】
【数２】
2007329664.tif 000004
【００４３】
【数３】
2007329664.tif 000005
【００４４】
【数４】
2007329664.tif 000006
【００４５】
【数５】
2007329664.tif 000007
【００４６】
【数６】
2007329664.tif 000008
【００４７】
次に、ガスエンジン３を遠隔から監視する管理側の遠隔監視センタ５における制御フロー（管理側ステップＳ５）について、図４を用いて説明する。
管理側では、現場側と同様に、ガスエンジン３の異常診断を開始したと同時に、時間のカウントを開始する（Ｓ５０１）。このカウントは、統計処理データＤ２を収集する間隔である時間Ｔ３の経過を計測する統計処理データ収集用カウントＣ３がある。
【００４８】
次いで、遠隔監視センタ５は、統計処理データ収集用カウントＣ３が時間Ｔ３（本例では２４時間）になったか否かを判定し（Ｓ５０２）、統計処理データ収集用カウントＣ３が時間Ｔ３になるまで繰り返す。
次いで、統計処理データ収集用カウントＣ３が時間Ｔ３になったときには、遠隔監視センタ５は、遠隔監視端末４の通常メモリ４２に記憶され、蓄積された統計処理データＤ２を収集する（Ｓ５０３）。そして、遠隔監視センタ５は、収集された統計処理データＤ２をデータベース５１に保存する（Ｓ５０４）。
【００４９】
次いで、遠隔監視センタ５は、異常判定装置５２によって、データベース５１に保存された統計処理データＤ２が基準範囲を逸脱したか否かを判定する（Ｓ５０５）。ここで、基準範囲とは、ガスエンジン３において正常に運転が行われている際のデータの変動範囲として設定されたものである。
【００５０】
遠隔監視センタ５は、統計処理データＤ２が基準範囲を逸脱していないときには、統計処理データ収集用カウントＣ３をゼロに初期化して（Ｓ５０６）、上記Ｓ５０１以降を繰り返し行う。
一方、統計処理データＤ２が基準範囲を逸脱したときには、異常判定装置５２は、ガスエンジン３の運転状態に異常があることを検出する（Ｓ５０７）。なお、ガスエンジン３の異常を検出したときには、異常が発生したことを管理者等に通知（メールや監視画面に警告ポップアップを表示させる等）したり、場合によってはガスエンジン３の出力低下や停止といった制御を行ったりする。その後、遠隔監視センタ５は、上記Ｓ５０１以降を繰り返し行う。
【００５１】
このように、遠隔監視システム１は、現場側における現場側ステップＳ４と管理側における管理側ステップＳ５とを並行して行い、ガスエンジン３の運転状態を遠隔から監視し、異常診断を行う。
【００５２】
次に、本例の遠隔監視システム１において算出した統計処理データＤ２に基づいて、ガスエンジン３の運転状態の異常を判定する方法について、具体的に異常検出事例を用いて説明する。この判定で用いる監視対象項目としては、発電出力及びガバナ開度、基本統計量の算出項目としては、上述したように平均値及び分散値を用いた。
【００５３】
図５には、横軸に時間をとり、縦軸に発電出力（％）の平均値、ガバナ開度（％）の平均値及び分散値をとったものである。なお、発電出力の平均値の基準範囲Ａ１は１１０％以下、ガバナ開度の平均値の基準範囲Ａ２は７５％以下、分散値の基準範囲Ａ３は１１％以下である。また、ここでの発電出力１００％とは、発電機３９の定格出力である。
この図から知られるように、発電出力及びガバナ開度の平均値は、基準範囲Ａ１、Ａ２内にあるが、ガバナ開度の分散値は、基準範囲Ａ３を逸脱している点がみられる。その結果、ガスエンジン３の運転状態の異常を検出した。
【００５４】
また、図６には、横軸に発電出力（％）の平均値をとり、縦軸にガバナ開度（％）の分散値をとったものであり、発電出力の平均値とガバナ開度の分散値との相関関係図を示したものである。この場合の基準範囲Ａ４は、図６に示すごとく、発電出力とガバナ開度との間の相関関係に基づいて定められた範囲である。
この図から知られるように、基準範囲Ａ４を逸脱している点がみられる。その結果、ガスエンジン３の運転状態の異常を検出した。
【００５５】
次に、本例の遠隔監視システム１における作用効果について説明する。
本例の遠隔監視システム１は、ガスエンジン３が設置されている現場側の遠隔監視端末４と、ガスエンジン３を遠隔から監視する管理側の遠隔監視センタ５とを有している。そして、現場側にある遠隔監視端末４は、一時メモリ４１に蓄積された各種監視対象項目の運転データＤ１を一定時間（本例では時間Ｔ２）毎に統計処理し、統計処理データＤ２を算出するように構成されている。
【００５６】
すなわち、遠隔監視システム１は、遠隔監視端末４が運転データＤ１の統計処理を行うように構成されていることにより、遠隔監視端末４に収集された運転データＤ１のすべてを遠隔監視センタ５に送るのではなく、運転データＤ１を統計処理した有用な統計処理データＤ２のみを送ることができる。そのため、遠隔監視センタ５に送るデータ量を抑制することができると共に、遠隔監視端末４と遠隔監視センタ５との間の回線占有時間や回線使用コストを低減することができる。
【００５７】
また、遠隔監視端末４は、統計処理された運転データＤ１を消去するように構成されている。すなわち、遠隔監視端末４は、絶えず繰り返し運転データＤ１の収集、記憶、消去を行っている。そのため、運転データＤ１を記憶して蓄積する一時メモリ４１の容量を節約しながら使用することができる。また、上記の作業を適切に順次行うことにより、運転データＤ１の収集間隔、すなわち時間Ｔ１を短縮することもできる。
【００５８】
また、本例の遠隔監視システム１において、さらに注目すべき点は、統計処理データＤ２は、監視対象項目の運転データＤ１に基づく基本統計量を算出したものであり、その基本統計量の算出項目としては、少なくとも平均値と分散値（又は標準偏差でもよい）とを含むということにある。すなわち、一般的に収集される平均値に加えて、一定周期内のデータのばらつきや分布等、異常兆候の検出により役立つ分散値を算出して収集することにより、ガスエンジン３の運転状態の傾向をより正確、かつ詳細に把握することができる。それ故、これらのデータを基にして、ガスエンジン３の異常判定における精度向上、診断範囲拡大を図ることができると共に、ガスエンジン３の予防保全、正常な運転の維持をより一層実現することができる。
【００５９】
また、遠隔監視センタ５は、統計処理データＤ２に基づいて、ガスエンジン３の運転状態が正常か否かを判断する異常診断手段５２を有している。これにより、統計処理された有用な統計処理データＤ２を収集した上で、ガスエンジン３の運転状態を診断するため、ガスエンジン３の異常をより正確に判定することができる。
【００６０】
また、異常検出事例において説明したように、異常診断手段５２は、統計処理データＤ２の少なくとも１つの算出項目が基準範囲を逸脱したか否かを判断し、逸脱した場合にガスエンジン３の運転状態が異常であると判定するものであり、判定に用いる算出項目としては、少なくとも分散値（又は標準偏差でもよい）を含む。そのため、統計処理データＤ２における算出項目によって、ガスエンジン３の運転状態の異常を容易、かつ適切に判定することができる。また、判定に用いる算出項目として少なくとも分散値を含んでいることから、ガスエンジン３の異常をより正確、かつ詳細に判定することができる。
【００６１】
また、異常診断手段５２は、統計処理データＤ２の２種類の算出項目の相関関係が、その相関関係図において予め定められた基準範囲を逸脱したか否かを判断し、逸脱した場合にガスエンジン３の運転状態が異常であると判定することもできる。そのため、統計処理データＤ２における２種類の算出項目の相関関係によって、ガスエンジン３の運転状態の異常を様々な角度から診断し、判定することができる。また、判定に用いる２種類の算出項目の少なくとも一方が分散値（標準偏差、変動率でもよい）であることから、ガスエンジン３の異常をより正確、かつ詳細に判定することができる。
【００６２】
また、ガスエンジン３は、コージェネレーションシステム２の一部を構成している。これにより、基本的にエネルギー供給設備として連続運転しているコージェネレーションシステム２の状態を、ガスエンジン３の運転状態から正確、かつ詳細に把握することができ、予防保全、正常な運転の維持をより一層図ることができる。それ故、コージェネレーションシステム２の信頼性を向上させることができる。
【００６３】
このように、本例によれば、運転状態に関するデータの収集に伴う回線占有時間や通信費用の増大を抑制しながら、より詳細なデータを確認することができ、異常判定における精度向上、診断範囲拡大を図ることができるガスエンジンの遠隔監視システムを提供することができる。
【００６４】
なお、本例では、統計処理データＤ２における基本統計量の算出項目としては、平均値及び分散値であったが、上記以外に標準偏差、歪度、尖度、変動率、最大値、最小値等を加えてもよい。これにより、ガスエンジン３の運転状態のさらに詳細な傾向を把握することができる。そして、これらのデータを基にして、ガスエンジン３の異常判定における精度向上、診断範囲拡大をより一層図ることができる。
【００６５】
また、本例では、管理側の遠隔監視センタ５のみに、ガスエンジン３の運転状態の異常を診断するための異常診断手段５２を設けたが、現場側の遠隔監視端末４にも、異常を診断するための手段を設けてもよい。例えば、遠隔監視端末４において統計処理データＤ２を算出した時点で、その統計処理データＤ２に基づいて、ガスエンジン３の運転状態が正常か否かを判断する予備異常診断手段等を設けてもよい。この場合には、現場側の遠隔監視端末４において、統計処理データＤ２を算出した段階でガスエンジン３の運転状態を診断することができるため、ガスエンジンの異常発生を早期に知ることができる。
【図面の簡単な説明】
【００６６】
【図１】実施例における、遠隔監視システムの構成を示す説明図。
【図２】実施例における、ガスエンジン及びその周辺の構成を示す説明図。
【図３】実施例における、現場側ステップを示すフローチャート。
【図４】実施例における、管理側ステップを示すフローチャート。
【図５】実施例における、ガスエンジンの運転状態の異常検出例を示すグラフ。
【図６】実施例における、ガスエンジンの運転状態の異常検出例を示すグラフ。
【符号の説明】
【００６７】
１  遠隔監視システム
２  コージェネレーションシステム
３  ガスエンジン
４  遠隔監視端末
４１  一時メモリ
４２  通常メモリ
５  遠隔監視センタ
５１  データベース
５２  異常判定装置
Ｄ１  運転データ
Ｄ２  統計処理データ
【図１】
2007329664.tif 000009
【図２】
2007329664.tif 000010
【図３】
2007329664.tif 000011
【図４】
2007329664.tif 000012
【図５】
2007329664.tif 000013
【図６】
2007329664.tif 000014